(57)【要約】【課題】  乾燥室内に設けた遠赤外線放射体に高圧空気を噴射して、乾燥機内の被乾燥物から飛散する微粒子を含む塵埃が遠赤外線放射体の表面に焼き付いたり、火災の発生を防止することができる流動乾燥装置を提供する。【解決手段】  流動乾燥装置１は、水平方向に終始端に渡って凹溝構成で、底面が小孔開口した気体噴出面５からなる被乾燥物ａを通風しながら搬送する乾燥物搬送体２と、乾燥物搬送体２の始端側には乾燥物搬送体上に被乾燥物を連続的に投入する供給装置９と、乾燥物搬送体２の上部には被乾燥物に遠赤外線を照射する遠赤外線放射体１０と、送風装置１１を備えている。遠赤外線放射体１０の表面に高圧空気を噴射して塵埃を吹き飛ばす高圧空気噴射ダクト２３を、遠赤外線放射体の近傍位置に設ける。高圧空気噴射ダクト２３は、遠赤外線放射体１０の長手方向に沿う狭幅長孔からなる高圧空気噴射口２４を有する。【選択図】        図１
2006071217.tif 000002
【特許請求の範囲】
【請求項１】
水平方向に終始端に渡って凹溝構成で、底面が小孔開口した気体噴出面からなる被乾燥物を通風しながら搬送する乾燥物搬送体と、乾燥物搬送体の始端側には乾燥物搬送体上に被乾燥物を連続的に投入する供給装置と、乾燥物搬送体の上部には被乾燥物に遠赤外線を照射する遠赤外線放射体を備え、送風装置で乾燥物搬送体の気体噴出面から被乾燥物に通風させ、被乾燥物が通風を受け浮上、沈降を繰り返しながら乾燥物搬送体の終端側の横溢口から表層の被乾燥物が順次横溢する流動乾燥装置であって、
前記遠赤外線放射体の表面に高圧空気を噴射して塵埃を吹き飛ばす高圧空気噴射ダクトを、遠赤外線放射体の近傍位置に設けたことを特徴とする流動乾燥装置。
【請求項２】
高圧空気噴射ダクトは、遠赤外線放射体の長手方向に沿う狭幅長孔または列状の多数の小孔からなる高圧空気噴射口を有していることを特徴とする請求項１記載の流動乾燥装置。
【請求項３】
高圧空気噴射ダクトは、遠赤外線放射体の周方向に沿って対向する面を有し、かつその対向面に複数条または列状の高圧空気噴射口を有していることを特徴とする請求項１または２記載の流動乾燥装置。
【請求項４】
請求項２記載の高圧空気噴射ダクトにおいて、高圧空気噴射ダクトは、遠赤外線放射体に対してその周方向に高圧空気噴射口の対向位置変更可能に構成されていることを特徴とする流動乾燥装置。
【請求項５】
高圧空気噴射ダクトには、流動乾燥装置内における暖気発生空間から暖気を供給して遠赤外線放射体に暖気を噴射することを特徴とする請求項１ないし４のいずれかに記載の流動乾燥装置。
【請求項６】
遠赤外線放射体の表面に高圧空気を噴射するタイミングは乾燥開始時と乾燥終了時と乾燥中の一定時間毎に又はそのいずれかの時に行うことを特徴とする請求項１ないし５のいずれかに記載の流動乾燥装置。
【発明の詳細な説明】
【技術分野】
【０００１】
本発明は、水平方向に終始端に渡って凹溝構成で、底面が小孔開口した気体噴出面からなる被乾燥物を通風しながら搬送する乾燥物搬送体に被乾燥物を連続的に投入し、その被乾燥物に遠赤外線を照射しながら被乾燥物に通風し、被乾燥物が通風を受け浮上、沈降を繰り返しながら乾燥物搬送体の終端で表層の被乾燥物が順次横溢する流動乾燥装置に関する。
【背景技術】
【０００２】
従来、平面状をなした流動盤を乾燥機本体内に敷設して上部に流動室を、下部に送風室を構成すると共に流動盤の表面には乾燥風が噴気する噴気孔を多数開口させ、流動盤上に供給された乾燥物を噴気孔から一斉に噴気する乾燥風で一定厚さの流動層を形成させながら排出側へ移行する間に乾燥を終了させる流動乾燥機は既に公知である。
【０００３】
また、乾燥室内の空気を減圧状態に保持しながら乾燥機室内に多量の遠赤外線を放射し、この乾燥室内の空気を大量に循環させながら乾燥室内に配設された通気性のある搬送装置上の籾を層状に分散状態で搬送し、循環空気流を籾層の下方から上方に貫通させて籾と循環空気流とを十分に接触させて籾を乾燥させる方法は特開平１１―１７２９９７号公報に記載されている。
【０００４】
さらに特開２００２―２２３６２公報では、乾燥室内部の水平方向に設けられた穀粒保持体の穀粒支持面を多数の小孔を開口した気体噴出面で形成し、気体噴出面の一方に堰部材を、他方の上流から穀粒を供給して穀粒層を形成し、この穀粒層の上方に遠赤外線ヒータを配置して穀粒に遠赤外線を放射しながら、穀粒保持体の支持面の小孔を開口した気体噴出面から気体を貫入して撹拌、流動化させながら気体噴出面の堰部材の高さによって穀粒の厚さを調節しながら穀粒を乾燥する構成も既に公知である。なお、特開２００１−５０６６５公報は、穀物乾燥機における遠赤外線放射体の表面に塵埃が付着堆積するのを防止する手段として、遠赤外線放射体の上部に山形状の覆いを設けることを紹介している。
【０００５】
【特許文献１】特開平１１―１７２９９７号公報
【特許文献２】特開２００２―２２３６２公報
【特許文献３】特開２００１−５０６６５公報
【発明の開示】
【発明が解決しようとする課題】
【０００６】
底面が小孔開口した気体噴出面上の被乾燥物を下方から上方に向けて乾燥風を通風し搬送しながら乾燥する流動乾燥機では、乾燥風が被乾燥物に十分に接触するために被乾燥物から大量の微粒子を含む塵埃が乾燥風に乗り、機外に放出されている。
【０００７】
現在多くの流動乾燥装置においては、被乾燥物から乾燥風に乗って排出される微粒子はそのまま機外に排出されるか、乾燥風と同等の風量を処理できる能力をもった集塵装置によって微粒子を回収しており、集塵装置の設置面積、稼動動力、稼動時の騒音、設備のコスト、集塵装置のメンテナンス等が問題となっている。
【０００８】
また、乾燥風を循環して被乾燥物に通風している流動乾燥装置においては、被乾燥物に含まれる微粒子を含む塵埃が循環風に乗って乾燥機内を周回するのを防止する装置が備わっていないため、機内に微粒子を含む塵埃が、高温となる遠赤外線放射体の表面に付着して焦げ付いて遠赤外線の放射を妨げたり、火災の発生の危険性が問題となっている。なお、特開２００１−５０６６５公報が紹介するように、遠赤外線放射体の上部に山形の覆いを施したものでは、遠赤外線放射体の表面に、浮遊するような塵埃の付着を防止することは困難である。
【０００９】
そこで、本発明は、被乾燥物の下方から上方に通気し、また遠赤外線を被乾燥物に照射することで被乾燥物を流動状態として均一にしかも早く乾燥させることができるとともに、遠赤外線放射体に高圧空気を噴射する高圧空気噴射ノズルを設けたことにより、乾燥機内の被乾燥物から飛散する微粒子を含む塵埃が遠赤外線放射体の表面に焼き付いたり、火災の発生を防止することができる流動乾燥装置を提供することを目的とする。
【課題を解決するための手段】
【００１０】
上記目的を達成するために、本発明は請求項１ないし請求項６に係わる流動乾燥装置を提案するものである。
【００１１】
即ち、請求項１に係わる流動乾燥装置は、水平方向に終始端に渡って凹溝構成で、底面が小孔開口した気体噴出面からなる被乾燥物を通風しながら搬送する乾燥物搬送体と、乾燥物搬送体の始端側には乾燥物搬送体上に被乾燥物を連続的に投入する供給装置と、乾燥物搬送体の上部には被乾燥物に遠赤外線を照射する遠赤外線放射体を備え、送風装置で乾燥物搬送体の気体噴出面から被乾燥物に通風させ、被乾燥物が通風を受け浮上、沈降を繰り返しながら乾燥物搬送体の終端側の横溢口から表層の被乾燥物が順次横溢する流動乾燥装置であって、前記遠赤外線放射体の表面に高圧空気を噴射して塵埃を吹き飛ばす高圧空気噴射ダクトを、遠赤外線放射体の近傍位置に設けたことを特徴とするものである。
【００１２】
請求項２に係わる流動乾燥装置は、請求項１記載の流動乾燥装置において、高圧空気噴射ダクトは、遠赤外線放射体の長手方向に沿う狭幅長孔または列状の多数の小孔からなる高圧空気噴射口を有していることを特徴とするものである。
【００１３】
請求項３に係わる流動乾燥装置は、請求項１または２記載の流動乾燥装置において、高圧空気噴射ダクトは、遠赤外線放射体の周方向に沿って対向する面を有し、かつその対向面に複数条または列状の高圧空気噴射口を有していることを特徴とするものである。
【００１４】
請求項４に係わる流動乾燥装置は、請求項２記載の高圧空気噴射ダクトにおいて、高圧空気噴射ダクトは、遠赤外線放射体に対してその周方向に高圧空気噴射口の対向位置変更可能に構成されていることを特徴とするものである。
【００１５】
請求項５に係わる流動乾燥装置は、請求項１ないし４のいずれかに記載の流動乾燥装置において、高圧空気噴射ダクトには、流動乾燥装置内における暖気発生空間から暖気を供給して遠赤外線放射体に暖気を噴射することを特徴とするものである。
【００１６】
請求項６に係わる流動乾燥装置は請求項１ないし５のいずれかに記載の流動乾燥装置において遠赤外線放射体の表面に高圧空気を噴射するタイミングは乾燥開始時と乾燥終了時と乾燥中の一定時間毎に又はそのいずれかの時に行うことを特徴とするものである。
【発明の効果】
【００１７】
本発明によれば、被乾燥物の下方から上方に通気し、また遠赤外線を被乾燥物に照射することで被乾燥物を流動状態として均一にしかも早く乾燥させることができるとともに、遠赤外線放射体に高圧空気を噴射する高圧空気噴射ノズルを設けたことにより、乾燥機内の被乾燥物から飛散する微粒子を含む塵埃が遠赤外線放射体の表面に焼き付いたり、火災の発生を防止することができるものである。
【発明を実施するための最良の形態】
【００１８】
図１および図２において、１は流動乾燥装置である。この流動乾燥装置１は、乾燥物搬送体２を備えており、その上部は乾燥室３、下部が送風室４となっている。乾燥物搬送体２は、水平方向に終始端に渡って凹溝構成で底面が小孔開口した気体噴出面体（多孔面体）５からなっている。乾燥物搬送体２の始端側６には乾燥物搬送体２上に被乾燥物ａを連続的に投入するバルブ７とホッパ８からなる供給装置９が設けられている。また乾燥物搬送体２の上部には被乾燥物ａに遠赤外線を照射する遠赤外線放射体１０を備えており、送風装置１１で乾燥物搬送体２の気体噴出面５から被乾燥物ａに通風するとともに、遠赤外線放射体１０により遠赤外線を照射する構成となっている。
【００１９】
被乾燥物ａは供給装置９より連続的に乾燥物搬送体２の始端６側に供給され、乾燥物搬送体２上で遠赤外線放射体１０からの遠赤外線を被乾燥物ａに照射されながら、送風装置１１からの通風を受けて浮上、沈降を繰り返し、乾燥物搬送体２の終端１２で表層の乾燥終了した被乾燥物ａが横溢口１３から順次横溢されるものである。なお、図２に示すように、乾燥物搬送体２上に被乾燥物ａを撹拌するための撹拌機１４を設けているが、この撹拌機１４は必ずしも備えていなくてもよい。
【００２０】
以上のように構成された流動乾燥装置１には、乾燥物搬送体２の一端側に塵埃収集室１５が設けられており、乾燥物搬送体２と平行に凹形状の塵埃収集路１６が設けられていて、塵埃収集路１６の内部にはスクリューコンベア１７が設けられている。塵埃収集室１５には集塵機１８が接続されている。１９はモータ室であって、前記送風装置１１を駆動するモータ２０その他所要の機器を装備している。２１はバーナであって遠赤外線放射体１０の一端に装備されている。遠赤外線放射体１０の他端には排気筒２２が取り付けられている。
【００２１】
乾燥室３内には、遠赤外線放射体１０の近傍位置にその表面に高圧空気を噴射して塵埃を吹き飛ばす高圧空気噴射ダクト２３が設けられている。この高圧空気噴射ダクト２３は、図３に詳細を示すように、遠赤外線放射体１０の長手方向に沿う狭幅長孔からなる高圧空気噴射口２４を有している。この高圧空気噴射口２４は、列状の多数の小孔または細長楕円孔を列状としたものなどであってもよい。
【００２２】
また、高圧空気噴射ダクト２３は、図４に示すように、遠赤外線放射体１０の周方向に沿って対向する面２５を有し、かつその対向面に複数条の高圧空気噴射口２６を有するものとすることができる。この高圧空気噴射口２６は狭幅長孔または列状の多数の小孔または細長楕円孔を列状としたものなどであってもよい。
【００２３】
高圧空気噴射ダクト２３は、図５に示すように、遠赤外線放射体１０に対してその周方向に高圧空気噴射口の対向位置変更可能に構成すれば、遠赤外線放射体１０表面に広く高圧空気を噴射することができるので、塵埃の除去効果を向上させることができる。図示の実施態様では、高圧空気噴射ダクト２３を揺動軸２７を軸心として揺動させる構成としている。
【００２４】
本発明の実施の形態では、図１および図２に示すように、高圧空気噴射ダクト２３に、流動乾燥装置１内における暖気発生空間であるモータ室１９内の空気を高圧送風機２８により吸引して供給して、遠赤外線放射体１０に暖気を噴射するようになっている。このように、遠赤外線放射体１０に暖気を噴射することにより、遠赤外線放射体１０の表面温度の低下を抑制して、被乾燥物ａに対する遠赤外線照射の効率低下を防止することができる。
【００２５】
また、遠赤外線放射体の表面に高圧空気を噴射するタイミングは乾燥開始時と乾燥終了時と乾燥中の一定時間毎に又はそのいずれかの時に所用時間噴射することにより遠赤外線放射の効率低下を防止するとともに塵埃の付着による焦げ付きや発火を防止することができる。
【産業上の利用可能性】
【００２６】
本発明に係わる遠赤外線放射体１０に対する塵埃吹き飛ばし手段は、遠赤外線放射体を備えた穀物乾燥機にもそのまま実施することができる。すなわち、穀物取り出し室内または熱風室内に配置した遠赤外線放射体に対向させて、高圧空気噴射ダクト２３を設けることによりその実施が可能である。
【図面の簡単な説明】
【００２７】
【図１】本発明に係わる流動乾燥装置の概要を示す一部破断斜視図である。
【図２】同上断面図である。
【図３】高圧空気噴射ノズルと遠赤外線放射体との関係を示す詳細断面図である。
【図４】同上他の実施の形態を示す詳細断面図である。
【図５】同上さらに他の実施の形態を示す詳細断面図である。
【符号の説明】
【００２８】
１  流動乾燥装置
２  乾燥物搬送体
３  乾燥室
４  送風室
５  気体噴出面体
６  乾燥物搬送体の始端側
７  バルブ
８  ホッパ
９  供給装置
１０  遠赤外線放射体
１１  送風装置
１２  乾燥物搬送体の終端側
１３  横溢口
１４  撹拌機
１５  塵埃収集室
１６  塵埃収集路
１７  スクリューコンベア
１８  集塵機
１９  モータ室
２０  モータ
２１  バーナ
２２  排気筒
２３  高圧空気噴射ダクト
２４  高圧空気噴射口
２５  遠赤外線放射体の周方向に沿って対向する面
２６  高圧空気噴射口
２７  揺動軸
２８  高圧送風機
ａ  被乾燥物
【図１】
2006071217.tif 000003
【図２】
2006071217.tif 000004
【図３】
2006071217.tif 000005
【図４】
2006071217.tif 000006
【図５】
2006071217.tif 000007